(57)【要約】  【課題】本発明は、強誘電体メモリセル及びこれを利用したメモリ装置に関し、非揮発性データを強誘電体キャパシタに格納してリード動作時に強誘電体キャパシタと関係なくセンスアンプのラッチ回路に格納されたセルデータをアクセスする技術を開示する。  【解決手段】ライトイネーブル命令信号、リードイネーブル命令信号及びリセット信号の状態に従いデータをリード又はライトする動作を制御するための制御信号等を出力するメモリ制御ブロック、前記制御信号等の制御に従い前記データをライトし、センスアンプに格納されたデータをリードする強誘電体メモリセルアレイ、及び前記強誘電体メモリセルアレイに格納されたデータを復元するための前記リセット信号を出力するパワーアップリセット回路を備えることを特徴とする。【選択図】図１
2004288351.tif 000002
【特許請求の範囲】
【請求項１】
ライトイネーブル命令信号、リードイネーブル命令信号及びリセット信号の状態に従い、データをリードまたはライトする動作を制御するための制御信号等を出力するメモリ制御ブロック、
前記制御信号等の制御に従い前記データをライトし、センスアンプに格納されたデータをリードする強誘電体メモリセルアレイ、及び
前記強誘電体メモリセルアレイに格納されたデータを復元するための前記リセット信号を出力するパワーアップリセット回路を備えることを特徴とする非揮発性強誘電体メモリ装置。
【請求項２】
前記強誘電体メモリセルアレイは、多数のビットライン対、
前記一対のビットラインの間にカラム方向に連結された多数の第１単一ポートメモリセル、及び
前記一対のビットラインに連結された前記センスアンプを備えることを特徴とする請求項１に記載の非揮発性強誘電体メモリ装置。
【請求項３】
前記第１単一ポートメモリセルは、出力ノードの間の電圧差を利用しハイレベルを増幅する第１ラッチ手段、
前記制御信号に応答し前記ビットラインと出力ノードを選択的に連結するライト制御手段、
多数の強誘電体キャパシタを含む格納手段、
出力ノードの間の電圧差を利用してローレベルを増幅する第２ラッチ手段、
前記制御信号に応答し前記第１ラッチ手段に電源電圧を選択的に印加するプルアップスイッチ、及び
前記制御信号に応答し前記第２ラッチ手段を接地電圧に選択的に連結するプルダウンスイッチを備えることを特徴とする請求項２に記載の非揮発性強誘電体メモリ装置。
【請求項４】
前記第１ラッチ手段は、前記出力ノードの間にクロスカップルド連結されたＰＭＯＳトランジスタ等を備えることを特徴とする請求項３に記載の非揮発性強誘電体メモリ装置。
【請求項５】
前記格納手段は一端が前記出力ノードとそれぞれ連結され、他の一端を介し前記制御信号が共通に印加される第１及び第２強誘電体キャパシタ、及び
一端が前記出力ノードにそれぞれ連結され、他の一端を介し接地電圧に連結された第３及び第４強誘電体キャパシタを備えることを特徴とする請求項３に記載の非揮発性強誘電体メモリ装置。
【請求項６】
前記第３及び第４強誘電体キャパシタの個数は、前記出力ノードのローディングレベル制御により増加されることを特徴とする請求項５に記載の非揮発性強誘電体メモリ装置。
【請求項７】
前記強誘電体メモリセルアレイは、多数のビットライン対、
多数の共通プルアップライン、
多数の共通プルダウンライン、
前記制御信号に応答し前記多数の共通プルアップラインに電源電圧をそれぞれ選択的に印加する多数のプルアップ手段、
前記制御信号に応答し前記多数の共通プルダウンラインを接地電圧にそれぞれ選択的に連結する多数のプルダウン手段、
前記一対のビットラインの間にカラム方向に連結された多数の第２単一ポートメモリセル、及び
前記一対のビットラインに連結されたセンスアンプを備えることを特徴とする請求項１に記載の非揮発性強誘電体メモリ装置。
【請求項８】
前記第２単一ポートメモリセルは、出力ノードの間の電圧差を利用してハイレベルを増幅する第１ラッチ手段、
前記制御信号に応答し前記ビットラインと出力ノードを選択的に連結するライト制御手段、
多数の強誘電体キャパシタを含む格納手段、
出力ノードの間の電圧差を利用してローレベルを増幅する第２ラッチ手段を備えることを特徴とする請求項７に記載の非揮発性強誘電体メモリ装置。
【請求項９】
前記第１ラッチ手段は、前記出力ノードの間にクロスカップルド連結されたＰＭＯＳトランジスタを備えることを特徴とする請求項８に記載の非揮発性強誘電体メモリ装置。
【請求項１０】
前記格納手段は一端が前記出力ノードとそれぞれ連結され、他の一端を介し前記制御信号が共通に印加される第１及び第２強誘電体キャパシタ、及び
一端が前記出力ノードにそれぞれ連結され、他の一端を介し接地電圧に連結された第３及び第４強誘電体キャパシタを備えることを特徴とする請求項８に記載の非揮発性強誘電体メモリ装置。
【請求項１１】
前記第３及び第４強誘電体キャパシタの個数は、前記ノードのローディングレベル制御に従い増加されることを特徴とする請求項１０に記載の非揮発性強誘電体メモリ装置。
【請求項１２】
前記強誘電体メモリセルアレイは、多数のライトビットライン対、
多数のリードビットライン対、
前記一対のライトビットライン及び前記一対のリードビットラインの間にカラム方向に連結された多数の第１マルチポートメモリセル、
前記一対のライトビットラインに連結されたライト駆動手段、及び
前記一対のリードビットラインに連結されたセンスアンプを備えることを特徴とする請求項１に記載の非揮発性強誘電体メモリ装置。
【請求項１３】
前記第１マルチポートメモリセルは、出力ノードの間の電圧差を利用してハイレベルを増幅する第１ラッチ手段、
前記制御信号に応答し前記ライトビットライン対と出力ノードを選択的に連結する多数のライト制御手段、
多数の強誘電体キャパシタを含む格納手段、
出力ノードの間の電圧差を利用してローレベルを増幅する第２ラッチ手段、
前記制御信号及び出力ノードの電位により前記リードビットライン対の電圧レベルを変更する多数のリード制御手段、
前記制御信号に応答し前記第１ラッチ手段に電源電圧を選択的に印加するプルアップスイッチ、及び
前記制御信号に応答し前記第２ラッチ手段を接地電圧に選択的に連結するプルダウンスイッチを備える事を特徴とする請求項１２に記載の非揮発性強誘電体メモリ装置。
【請求項１４】
前記第１ラッチ手段は、前記出力ノードの間にクロスカップルド連結されたＰＭＯＳトランジスタを備えることを特徴とする請求項１３に記載の非揮発性強誘電体メモリ装置。
【請求項１５】
前記格納手段は一端が前記出力ノードとそれぞれ連結され、他の一端を介し前記制御信号が共通に印加される第１及び第２強誘電体キャパシタ、及び
一端が前記出力ノードにそれぞれ連結され、他の一端を介し接地電圧に連結された第３及び第４強誘電体キャパシタを備えることを特徴とする請求項１３に記載の非揮発性強誘電体メモリ装置。
【請求項１６】
前記第３及び第４強誘電体キャパシタの個数は、前記出力ノードのローディングレベル制御に従い増加されることを特徴とする請求項１５に記載の非揮発性強誘電体メモリ装置。
【請求項１７】
前記リード制御手段は、前記制御信号及び前記出力ノードの電位により前記リードビットライン対を選択的に接地電圧に連結する第１及び第２スイッチ手段を備えることを特徴とする請求項１３に記載の非揮発性強誘電体メモリ装置。
【請求項１８】
前記センスアンプは、前記リードビットライン対の電圧差により選択的に前記リードビットライン対に電源電圧を印加するプルアップ駆動手段、及び
前記リードビットライン上に載せられたデータを所定時間格納するラッチ手段を備えることを特徴とする請求項１２に記載の非揮発性強誘電体メモリ装置。
【請求項１９】
前記プルアップ駆動手段は、前記リードビットライン対の電圧差を検出する検出手段、及び
前記検出手段から出力された信号に応答し前記電源電圧を、前記リードビットライン対にそれぞれ電源電圧を印加する第１及び第２プルアップ手段を備えることを特徴とする請求項１８に記載の非揮発性強誘電体メモリ装置。
【請求項２０】
前記強誘電体メモリセルアレイは、多数のライトビットライン対、
多数のリードビットライン対、
多数の共通プルアップライン、
多数の共通プルダウンライン、
前記制御信号に応答し前記多数の共通プルアップラインに電源電圧をそれぞれ選択的に印加する多数のプルアップ手段、
前記制御信号に応答し前記多数の共通プルダウンラインを接地電圧にそれぞれ選択的に連結する多数のプルダウン手段、
前記一対のライトビットライン及び前記一対のリードビットラインの間にカラム方向に連結された多数の第２マルチポートメモリセル、
前記一対のライトビットラインに連結された駆動手段、及び
前記一対のリードビットラインに連結されたセンスアンプを備える事を特徴とする請求項１に記載の非揮発性強誘電体メモリ装置。
【請求項２１】
前記第２マルチポートメモリセルは、出力ノードの間の電圧差を利用してハイレベルを増幅する第１ラッチ手段、
前記制御信号に応答し前記ビットラインと出力ノードを選択的に連結する多数のライト制御手段、
多数の強誘電体キャパシタを含む格納手段、
出力ノードの間の電圧差を利用してローレベルを増幅する第２ラッチ手段、及び
前記制御信号及び前記出力ノードの電位により前記リードビットライン対の電圧レベルを変更する多数のリード制御手段を備えることを特徴とする請求項２０に記載の非揮発性強誘電体メモリ装置。
【請求項２２】
前記第１ラッチ手段は、前記出力ノードの間にクロスカップルド連結されたＰＭＯＳトランジスタ等を備えることを特徴とする請求項２１に記載の非揮発性強誘電体メモリ装置。
【請求項２３】
前記格納手段は一端が前記出力ノードとそれぞれ連結され、他の一端を介し前記制御信号が共通に印加される第１及び第２強誘電体キャパシタ、及び
一端が前記出力ノードにそれぞれ連結され、他の一端を介し接地電圧に連結された第３及び第４強誘電体キャパシタを備えることを特徴とする請求項２１に記載の非揮発性強誘電体メモリ装置。
【請求項２４】
前記第３及び第４強誘電体キャパシタの個数は、前記出力ノードのローディングレベル制御により増加されることを特徴とする請求項２２に記載の非揮発性強誘電体メモリ装置。
【請求項２５】
前記センスアンプは、前記リードビットライン対の電圧差により選択的に前記リードビットライン対に電源電圧を印加するプルアップ駆動手段、及び
前記リードビットライン上に載せられたデータを所定時間格納するラッチ手段を備える事を特徴とする請求項２０に記載の非揮発性強誘電体メモリ装置。
【請求項２６】
前記プルアップ駆動手段は、前記リードビットライン対の電圧差を検出する検出手段、及び
前記検出手段から出力された信号に応答し前記電源電圧を、前記リードビットライン対にそれぞれ電源電圧を印加する第１及び第２プルアップ手段を備えることを特徴とする請求項２５に記載の非揮発性強誘電体メモリ装置。
【発明の詳細な説明】
【技術分野】
【０００１】
本発明は、非揮発性強誘電体メモリ装置に関し、特に非揮発性強誘電体メモリ装置のリード動作時に速いアクセスを可能にする技術である。
【背景技術】
【０００２】
一般に、非揮発性強誘電体メモリ、即ち、ＦｅＲＡＭ（Ferroelectric Random Access Memory）はディラム（ＤＲＡＭ：Dynamic Random Access Memory）程度のデータ処理速度を有し、電源のオフ時にもデータが保存される特性のため次世代記憶素子として注目されている。
【０００３】
このようなＦｅＲＡＭは、ディラムと殆ど類似の構造を有する記憶素子であり、キャパシタの材料に強誘電体を用いて強誘電体の特性である高い残留分極を利用したものである。このような残留分極特性により電界を除去してもデータが消失されない。
【０００４】
上述したＦｅＲＡＭに関する技術内容は、本発明と同一の発明者により出願された大韓民国出願番号第１９９９−４９９７２号に開示されたことがある。従って、ＦｅＲＡＭに関する基本的な構成及びその動作に関する詳細な説明は 省略することにする。
【０００５】
ところが、このような従来の非揮発性強誘電体メモリ装置はデータのリード及びライト動作時及びパワーアップモード時に、非揮発性データを強誘電体キャパシタに格納し強誘電体キャパシタに格納されたデータを再度破壊及び復元する動作を反復的に行う。
【０００６】
従って、従来の非揮発性強誘電体メモリ装置は、反復的な破壊及び復元動作によりリード動作時にデータを速くアクセスできなくなるとの問題点がある。さらに、強誘電体キャパシタの破壊動作による反復的な書き込み回数の限界を克服できなくなり、信頼性が低くなり高速の非揮発性強誘電体メモリ装置を具現できなくなる問題点がある。
【特許文献１】大韓民国出願番号第１９９９−４９９７２号
【発明の開示】
【発明が解決しようとする課題】
【０００７】
本発明は前記のような問題点を解決するために案出されたもので、リード動作モード時にリードビットラインをプリチャージさせリードデータのデータフェイルを防止するようにすることにその目的がある。
【０００８】
さらに、本発明は前記のような問題点を解決するために案出されたもので、リード動作モード時にセンスアンプのラッチ部に格納されたセルデータをアクセスし早い動作ができるようにすることにその目的がある。
【０００９】
さらに、本発明は前記のような問題点を解決するために案出されたもので、パワーアップモード時に別途のプログラム命令に従いメモリセルに格納されたデータを復元することにより、強誘電体の破壊動作による反復的な書き込み回数の限界を克服できるようにすることにその目的がある。
【課題を解決するための手段】
【００１０】
本発明に係る非揮発性強誘電体メモリ装置はライトイネーブル命令信号、リードイネーブル命令信号及びリセット信号の状態に従い、データをリードまたはライトする動作を制御するための制御信号等を出力するメモリ制御ブロック、前記制御信号等の制御により前記データをライトし、センスアンプに格納されたデータをリードする強誘電体メモリセルアレイ、及び前記強誘電体メモリセルアレイに格納されたデータを復元するための前記リセット信号を出力するパワーアップリセット回路を備えることを特徴とする。
【発明の効果】
【００１１】
本発明は次のような効果を提供する。
【００１２】
第一、リード動作モード時リードビットラインをプリチャージさせリードデータのフェイルを防ぐことができる。
【００１３】
第二、リード動作モード時ビットラインプルアップ制御部のラッチ部に格納されたセルデータを直ちにアクセスし早い動作が可能になるようにする。
【００１４】
第三、パワーアップモード時別のプログラム命令に従いメモリセルに格納されたデータを復元し、強誘電体キャパシタの破壊動作による反復的な書き込み回数の限界を克服することにより高い信頼性と高速の非揮発性FeRamセルを具現することができるようになる。
【発明を実施するための最良の形態】
【００１５】
以下、図面を参照し本発明の実施例に対し詳しく説明する。
【００１６】
図１は、本発明に係る非揮発性強誘電体メモリ装置を示したブロック図である。
【００１７】
図１の実施例は強誘電体メモリセルアレイ１００、メモリ制御部２００、及びパワーアップリセット回路３００を備える。
【００１８】
ここで、強誘電体メモリセルアレイ１００はプルアップイネーブル信号ＥＮＰ、プルダウンイネーブル信号ＥＮＮ、リードイネーブル信号ＥＮＲ，ライトイネーブル信号ＥＮＷ及びセルプレート信号ＣＰＬの状態に従いデータがリード及びライトされる。
【００１９】
メモリ制御部２００はライトイネーブル命令信号ＷＥ及びリードイネーブル命令信号ＲＥに応答し、強誘電体メモリセルアレイ１００を制御するためのプルアップイネーブル信号ＥＮＰ、プルダウンイネーブル信号ＥＮＮ、リードイネーブル信号ＥＮＲ、ライトイネーブル信号ＥＮＷ及びセルプレート信号ＣＰＬを出力する。
【００２０】
パワーアップリセット回路３００は、パワーアップ時にメモリ制御部２００を初期化させるためのリセット信号ＲＥＳＥＴを発生する。
【００２１】
このような構成を有する本発明は、パワーアップモード時にメモリセルに格納されたデータをリセット信号ＲＥＳＥＴを用いて復元することになる。そしてメモリセルに新たなデータをプログラムするため、別途のプログラム命令であるライトイネーブル命令信号ＷＥ及びリードイネーブル命令信号ＲＥを利用してセルデータを変えることになる。
【００２２】
図２は、図１の強誘電体メモリセルアレイ１００の一実施例を示したブロック図である。
【００２３】
図２の強誘電体メモリセルアレイ１００は多数のビットライン対ＢＬＯ−ＢＬｎ、ＢＬＢＯ−ＢＬＢｎを含み、一対のビットラインＢＬ、ＢＬＢの間にカラム方向に多数の単一ポートメモリセル１０を備える。そして、一対のビットラインＢＬ、ＢＬＢは一つのセンスアンプ２０を共有する。
【００２４】
ここで、ライトイネーブル信号ＥＮＷ、セルプレート信号ＣＰＬ、プルダウンイネーブル信号ＥＮＮ及びプルアップイネーブル信号ＥＮＰ等を多数の単一ポートメモリセル１０に対し共有する。
【００２５】
図３は、図２の単一ポートメモリセル１０を示した詳細な回路図である。
【００２６】
図３の実施例は非揮発性強誘電体メモリセルとして、リード及びライトデータが入出力されるビットラインＢＬ、ＢＬＢがそれぞれ一つのポートとして構成される。
【００２７】
単一ポートメモリセル１０はＰＭＯＳラッチ部１１、ライト制御部１２、強誘電体キャパシタ部１３、ＮＭＯＳラッチ部１４、プルアップスイッチ１５及びプルダウンスイッチ１６を備える。
【００２８】
ここで、ＰＭＯＳラッチ部１１はプルアップスイッチ１５とライト制御部１２の間に位置し、出力ノードＣＮ１、ノードＣＮ２の間にクロスカップルド（cross-coupled）構造に連結されたＰＭＯＳトランジスタＰ２、Ｐ３を備える。ライト制御部１２はライトライトイネーブル信号ＥＮＷに応答し一対のビットラインＢＬ、ＢＬＢと出力ノードＣＮ１、ＣＮ２を選択的に連結するＮＭＯＳトランジスタＮ１、Ｎ２を備える。
【００２９】
強誘電体キャパシタ部１３は一端が出力ノードＣＮ１、ＣＮ２とそれぞれ連結され、他の一端を介しセルプレート信号ＣＰＬが共通に印加される第１及び第２強誘電体キャパシタＦＣ１、ＦＣ２と、一端が出力ノードＣＮ１、ＣＮ２にそれぞれ連結され、他の一端を介し接地電圧に連結された第３及び第４強誘電体キャパシタＦＣ３、ＦＣ４を備える。ここで、第３及び第４強誘電体キャパシタＦＣ３、ＦＣ４は出力ノードＣＮ１、ＣＮ２のローディングレベル制御に従い選択的に追加して用いることができる。
【００３０】
ＮＭＯＳラッチ部１４は、強誘電体キャパシタ部１３とプルダウンスイッチ１６との間に位置し、出力ノードＣＮ１、ＣＮ２の間にクロスカップルド構造で連結されたＮＭＯＳトランジスタＮ３、Ｎ４を備える。
【００３１】
さらに、プルアップスイッチ１５は電源電圧ＶＣＣとＰＭＯＳラッチ部１１の間に連結され、ゲート端子を介しプルアップイネーブル信号ＥＮＰが印加されるＰＭＯＳトランジスタＰ１を備える。そして、プルダウンスイッチ１６はＮＭＯＳラッチ部１４と接地電圧ＶＳＳの間に連結され、ゲート端子を介しプルダウンイネーブル信号ＥＮＮが印加されるＮＭＯＳトランジスタＮ５を備える。
【００３２】
以上のように、単一ポートメモリセル１０は２個のトランジスタを有するＰＭＯＳラッチ部１１と、２個のトランジスタを有するライト制御部１２及び２個のトランジスタを有するＮＭＯＳラッチ部１４を備える。そして、非揮発性データを格納しセンシングロードを制御するための４個の強誘電体キャパシタＦＣ１〜ＦＣ４を備える。従って、単一ポートメモリセル１０は全て８個のトランジスタと４個のキャパシタを備え８Ｔ（Ｔｒａｎｓｉｓｔｏｒ）４Ｃ（Ｃａｐａｃｉｔｏｒ）の構造を有する。
【００３３】
図４は、図１の強誘電体メモリセルアレイ１００の他の実施例を示したブロック図である。
【００３４】
図４の強誘電体メモリセルアレイ１００は、多数のビットライン対ＢＬＯ−ＢＬｎ、ＢＬＢＯ−ＢＬＢｎと、多数の共通プルアップラインＣＮＰＯ−ＣＮＰｎ及び多数の共通プルダウンラインＣＮＮＯ−ＣＮＮｎを含み、一対のビットラインＢＬ、ＢＬＢの間にカラム方向に多数の単一ポートメモリセル３０を備える。そして一対のビットラインＢＬ、ＢＬＢは一つのセンスアンプ２０を共有する。
【００３５】
さらに、電源電圧ＶＣＣと共通プルアップラインＣＮＰの間にプルアップスイッチ２１がそれぞれ連結され、接地電圧ＶＳＳと共通プルダウンラインＣＮＮの間にプルダウンスイッチ２２がそれぞれ連結される。
【００３６】
ここで、ライトイネーブル信号ＥＮＷ及びセルプレート信号ＣＰＬは多数の単一ポートメモリセル３０に対しロー方向に共有される。そして、プルダウンイネーブル信号ＥＮＮ及びプルアップイネーブル信号ＥＮＰは多数のプルアップスイッチ２１及びプルダウンスイッチ２２に対しカラム方向に共有される。
【００３７】
さらに、同一のロー方向に連結された多数の単一ポートメモリセル３０等は、一つのプルアップスイッチ２１と一つのプルダウンスイッチ２２を独立的に共有して使用する。従って、同一のロー方向の単一ポートメモリセル３０等にかかるロード電圧が他のロー方向の単一ポートメモリセル３０等に出力されるのを防ぐことができるようになる。
【００３８】
図５は、図４の単一ポートメモリセル３０を示した詳細な回路である。
【００３９】
図５の単一ポートメモリセル３０はＰＭＯＳラッチ部３１、ライト制御部３２、強誘電体キャパシタ部３３、及びＮＭＯＳラッチ部３４を備える。
【００４０】
ここで、ＰＭＯＳラッチ部３１は共通プルアップラインＣＮＰとライト制御部３２の間に位置し、出力ノードＣＮ１、ＣＮ２の間にクロスカップルド構造で連結されたＰＭＯＳトランジスタＰ４、Ｐ５を備える。
【００４１】
ライト制御部３２は、ライトイネーブル信号ＥＮＷにより一対のビットラインＢＬ、ＢＬＢと出力ノードＣＮ１、ＣＮ２を各々選択的に連結するＮＭＯＳトランジスタＮ６、Ｎ７を備える。
【００４２】
強誘電体キャパシタ３３は一端が出力ノードＣＮ１、ＣＮ２とそれぞれ連結され他の一端を介しセルプレート信号ＣＰＬが共通に印加される第１及び第２強誘電体キャパシタＦＣ１、ＦＣ２と、一端が出力ノードＣＮ１、ＣＮ２にそれぞれ連結され、他の一端を介し接地電圧に連結された第３及び第４強誘電体キャパシタＦＣ３、ＦＣ４を備える。ここで、第３及び第４強誘電体キャパシタＦＣ３、ＦＣ４は出力ノードＣＮ１、ＣＮ２のローディングレベル制御により選択的に追加し用いることができる。
【００４３】
ＮＭＯＳラッチ部３４は強誘電体キャパシタ部３３と共通プルダウンラインＣＮＮの間に位置し、出力ノードＣＮ１、ＣＮ２の間にクロスカップルド構造に連結されたＮＭＯＳトランジスタＮ８、Ｎ９を備える。
【００４４】
図６は、図１の強誘電体メモリセルアレイ１００のさらに他の実施例を示したブロック図である。
【００４５】
図６の強誘電体メモリセルアレイ１００は多数のライトビットライン対のＷＢＬＯ−ＷＢＬｎ、ＷＢＬＢＯ−ＷＢＬＢｎと多数のリードビットライン対のＲＢＬＯ−ＲＢＬＢｎを含み、一対のライトビットラインＷＢＬ、ＷＢＬＢと一対のリードビットラインＲＢＬ、ＲＢＬＢの間にカラム方向に多数の２ポートメモリセル４０を備える。そして、一対のリードビットラインＲＢＬ、ＲＢＬＢは一つのセンスアンプ７０を共有する。さらに、一対のライトビットラインＷＢＬ、ＷＢＬＢは一つのライト駆動部５０を共有する。
【００４６】
ここで、ライトイネーブル信号ＥＮＷ、リードイネーブル信号ＥＮＲ、セルプレート信号ＣＰＬ、プルダウンイネーブル信号ＥＮＮ及びプルアップイネーブル信号ＥＮＰ等を多数の２ポートメモリセル４０に対しロー方向に共有される。
【００４７】
図７は、図６の２ポートメモリセル４０を示した詳細な回路図である。
【００４８】
図７の実施例は非揮発性強誘電体メモリセルであり、ライトデータが入力される一対のライトビットラインＷＢＬ、ＷＢＬＢと、リードデータが出力される一対のリードビットラインＲＢＬ、ＲＢＬＢが別途区分され２個の入出力ポートを備える。
【００４９】
２ポートメモリセル４０はＰＭＯＳラッチ部４１、ライト制御部４２、強誘電体キャパシタ部４３、ＮＭＯＳラッチ部４４、リード制御部４５、プルアップスイッチ４６及びプルダウンスイッチ４７を備える。
【００５０】
ＰＭＯＳラッチ部４１はプルアップスイッチ４６とライト制御部４２の間に位置し、出力ノードＣＮ１、ＣＮ２の間にクロスカップルド構造で連結されたＰＭＯＳトランジスタＰ１２、Ｐ１３を備える。ライト制御部４２はライトイネーブル信号ＥＮＷに応答し出力ノードＣＮ１、ＣＮ２と一対のライトビットラインＷＢＬ、ＷＢＬＢを選択的に連結するＮＭＯＳトランジスタＮ１１、Ｎ１２を備える。
【００５１】
強誘電体キャパシタ部４３は一端が出力ノードＣＮ１、ＣＮ２とそれぞれ連結され他の一端を介しセルプレート信号ＣＰＬが共通に印加される第１及び第２強誘電体キャパシタＦＣ１１、ＦＣ１２と一端が出力ノードＣＮ１、ＣＮ２にそれぞれ連結され、他の一端が接地電圧に連結された第３及び第４強誘電体キャパシタＦＣ１３、ＦＣ１４を備える。ここで、第３及び第４強誘電体キャパシタＦＣ１３、ＦＣ１４は出力ノードＣＮ１、ＣＮ２のローディングレベル制御により選択的に追加し用いることができる。
【００５２】
ＮＭＯＳラッチ部４４は出力ノードＣＮ１、ＣＮ２の間にクロスカップルド構造で連結されたＮＭＯＳトランジスタＮ１３、Ｎ１４を備える。
【００５３】
リード制御部４５は４個のＮＭＯＳトランジスタＮ１６〜Ｎ１９を備える。ここで、ＮＭＯＳトランジスタＮ１６、Ｎ１７はリードイネーブル信号ＥＮＲ及び出力ノードＣＮ２の電位がそれぞれゲートに印加され、リードビットラインＲＢＬＢを選択的に接地電圧に連結し、ＮＭＯＳトランジスタＮ１８、Ｎ１９はリードイネーブル信号ＥＮＲ及び出力ノードＣＮ１の電位がそれぞれゲートに印加されリードビットラインＲＢＬを選択的に接地電圧に連結する。
【００５４】
さらに、プルアップスイッチ４６は電源電圧ＶＣＣとＰＭＯＳラッチ部４１の間に連結され、ゲート端子を介しプルアップイネーブル信号ＥＮＰが印加されるＰＭＯＳトランジスタＰ１１を備える。そして、プルダウンスイッチ４７はＮＭＯＳラッチ部４４と接地電圧ＶＳＳの間に連結され、ゲート端子を介しプルダウンイネーブル信号ＥＮＮが印加されるＮＭＯＳトランジスタＮ１５を備える。
【００５５】
前述したように、２ポートメモリセル４０は全て12個のトランジスタと４個のキャパシタを備え１２Ｔ（Ｔｒａｎｓｉｓｔｏｒ）４Ｃ（Ｃａｐａｃｉｔｏｒ）の構造を有する。
【００５６】
このような構成を有する本発明の２ポートメモリセル４０は、ライトモード時一対のライトビットラインＷＢＬ、ＷＢＬＢを介してデータをライトし、リードモード時には一対のリードビットラインＲＢＬ、ＲＢＬＢを介して格納されたデータをセンシング及びリードする。
【００５７】
図８は、図１の強誘電体メモリセルアレイ１００のさらに他の実施例を示すブロック図である。
【００５８】
図８の強誘電体メモリセルアレイ１００は多数のライトビットライン対のＷＢＬＯ−ＷＢＬｎ、ＷＢＬＢＯ−ＷＢＬＢｎ、多数のリードビットライン対のＲＢＬＯ−ＲＢＬｎ、ＲＢＬＢＯ−ＲＢＬＢｎ、多数の共通プルアップラインＣＮＰ―ＣＮＰｎ及び多数の共通プルダウンラインＣＮＮＯ−ＣＮＮｎを含み、一対のライトビットラインＷＢＬ、ＷＢＬＢと一対のリードビットラインＲＢＬ、ＲＢＬＢの間にカラム方向に多数の２ポートメモリセル６０を備える。そして、一対のリードビットラインＲＢＬ、ＲＢＬＢは一つのセンスアンプ７０を共有する。さらに、一対のライトビットラインＷＢＬ、ＷＢＬＢは一つのライト駆動部５０を共有する。
【００５９】
さらに、電源電圧ＶＣＣと共通プルアップラインＣＮＰとの間にプルアップスイッチ４６がそれぞれ連結され接地電圧ＶＳＳと共通プルダウンラインＣＮＮとの間にプルダウンスイッチ４７がそれぞれ連結される。
【００６０】
ここで、ライトイネーブル信号ＥＮＷ、リードイネーブル信号ＥＮＲ及びセルプレート信号ＣＰＬは、多数の２ポートメモリセル６０に対しロー方向に共有される。そして、プルダウンイネーブル信号ＥＮＮ及びプルアップイネーブル信号ＥＮＰ等を多数のプルアップスイッチ４６及びプルダウンスイッチ４７に対しカラム方向に共有される。
【００６１】
さらに、同一のロー方向に連結された多数の２ポートメモリセル６０等は、一つのプルアップスイッチ４６と一つのプルダウンスイッチ４７を独立的に共有して用いる。従って、同一のロー方向の２ポートメモリセル６０等にかかるロード電圧が他のロー方向の２ポートメモリセル６０等に出力されるのを防ぐことができるようになる。
【００６２】
図９は、図８の２ポートメモリセル６０を示した詳細な回路図である。
【００６３】
図９の実施例は非揮発性強誘電体メモリセルであり、ライトデータが入力される一対のライトビットラインＷＢＬ、ＷＢＬＢと、リードデータが出力される一対のリードビットラインＲＢＬ、ＲＢＬＢが別途に区分され２個の入出力ポートを備える。
【００６４】
２ポートメモリセル６０はＰＭＯＳラッチ部６１、ライト制御部６２、強誘電体キャパシタ部６３、及びＮＭＯＳラッチ部６４を備える。
【００６５】
ここでＰＭＯＳラッチ部６１は共通プルアップラインＣＮＰとライト制御部６２の間に位置し、出力ノードＣＮ１、ＣＮ２の間にクロスカップルド構造で連結されたＰＭＯＳトランジスタＰ１４、Ｐ１５を備える。ライト制御部６２はライトイネーブル信号ＥＮＷに応答し一対のライトビットラインＷＢＬ、ＷＢＬＢと出力ノードＣＮ１、ＣＮ２を選択的に連結するＮＭＯＳトランジスタＮ２１、Ｎ２２を備える。
【００６６】
強誘電体キャパシタ部６３は一端が出力ノードＣＮ１、ＣＮ２とそれぞれ連結され他の一端を介してセルプレート信号ＣＰＬが共通に印加される第１及び第２強誘電体キャパシタＦＣ１１、ＦＣ１２と一端が出力ノードＣＮ１、ＣＮ２にそれぞれ連結され、他の一端が接地電圧に連結された第３及び第４強誘電体キャパシタＦＣ１３、ＦＣ１４を備える。ここで、第３及び第４強誘電体キャパシタＦＣ１３、ＦＣ１４は出力ノードＣＮ１、ＣＮ２のローディングレベル制御に従い選択的に追加して用いることができる。
【００６７】
ＮＭＯＳラッチ部６４は出力ノードＣＮ１、ＣＮ２の間にクロスカップルド構造で連結されたＮＭＯＳトランジスタＮ２３、Ｎ２４を備える。
【００６８】
リード制御部６５は４個のＮＭＯＳトランジスタＮ１６〜Ｎ１９を備える。ここでＮＭＯＳトランジスタＮ２５、Ｎ２６はリードイネーブル信号ＥＮＲ及び出力ノードＣＮ２の電位がそれぞれゲートに印加され、リードビットラインＲＢＬＢを選択的に接地電圧に連結し、ＮＭＯＳトランジスタＮ２７、Ｎ２８はリードイネーブル信号ＥＮＲ及び出力ノードＣＮ１の電位がそれぞれゲートに印加されリードビットラインＲＢＬを選択的に接地電圧に連結する。
【００６９】
前記のように、２ポートメモリセル６０は全て１０個のトランジスタと４個のキャパシタを備え１０Ｔ（Ｔｒａｎｓｉｓｔｏｒ）４Ｃ（Ｃａｐａｃｉｔｏｒ）の構造を有する。
【００７０】
このような構成を有する本発明の２ポートメモリセル６０はライトモード時一対のライトビットラインＷＢＬ、ＷＢＬＢを介してデータをライトし、リードモード時には一対のリードビットラインＲＢＬ、ＲＢＬＢを介し格納されたデータをセンシング及びリードする。
【００７１】
ここで、前記の２ポートメモリセル３０、６０の実施例は一対のライトビットラインＷＢＬ、ＷＢＬＢ及び一対のリードビットラインＲＢＬ、ＲＢＬＢを多数構成し、ライト制御部６２及びリード制御部６５を多数構成してマルチポートとして用いることができる。
【００７２】
前記のように、２ポートメモリセル３０、６０はリードモード時電流の流入はあっても流出される電流のないオフドレイン形態のビットライン構造を有する。
【００７３】
従って、２ポートメモリセル３０、６０は一対のリードビットラインＲＢＬ、ＲＢＬＢの電圧レベルをハイレベルからローレベルに遷移させることはできても、ローレベルからハイレベルに遷移させることはできない構造である。
【００７４】
図１０は、本発明の２ポートメモリセルアレイ１００に用いられるセンスアンプ７０を示した詳細な回路図である。
【００７５】
センスアンプ７０はプルアップ駆動部７１、プルアップ制御部７２及びラッチ部７３を備える。
【００７６】
プルアップ駆動部７１は電源電圧ＶＣＣとプルアップ制御部７２の間に位置し、共通ゲート端子を介しプルアップ制御信号ＰＣＵが印加されるＰＭＯＳトランジスタＰ１６、Ｐ１７を備える。
【００７７】
プルアップ制御部７２は、二つの入力端子が一対のリードビットラインＲＢＬ、ＲＢＬＢに連結されたノアゲートＮＯＲ１と、ノアゲートＮＯＲ１から出力された信号を反転しプルアップ制御信号ＰＵＣを出力するインバータＩＶ1を備える。
【００７８】
ラッチ部７３は一対のリードビットラインＲＢＬ、ＲＢＬＢから印加される出力信号を一定時間格納するラッチ構造のインバータＩＶ２、ＩＶ３を備える。
【００７９】
本発明は前記のセンスアンプ７０のプルアップ制御信号ＰＵＣにより一対のビットラインＲＢＬ、ＲＢＬＢが全てローレベルの区間になれば、この区間の間一対のリードビットラインＲＢＬ、ＲＢＬＢをハイレベルにプリチャージさせる。
【００８０】
このような構成を有するセンスアンプ７０の動作過程を図１１の動作タイミング図を参照して説明すれば次の通りである。
【００８１】
先ず、リード制御部６５のリードイネーブル信号ＥＮＲがハイレベルにイネーブルされるとリードビットラインＲＢＬＢがローレベルに遷移する。そのとき、一対のリードビットラインＲＢＬ、ＢＬＢが全てローレベルになるのでノアゲートＮＯＲ１はハイレベルの出力信号を出力する。
【００８２】
以後、プルアップ制御信号ＰＵＣはインバータＩＶ１によりローレベルに遷移され、プルアップ制御信号ＰＵＣに応答しプルアップ制御部７１のＰＭＯＳトランジスタＰ１６、Ｐ１７がターンオンされる。従って、リードビットラインＲＢＬがハイレベルになる前まで一対のリードビットラインＲＢＬ、ＲＢＬＢを電源電圧ＶＣＣにプルアップさせる。
【００８３】
次に、一定時間の後リードビットラインＲＢＬがハイレベルに遷移すれば、プルアップ制御信号ＰＵＣがハイレベルに遷移しプルアップ動作を中止することになる。
【００８４】
図１２は、パワーアップモード時図１の非揮発性強誘電体メモリ装置の動作タイミング図である。
【００８５】
先ず、パワーアップの後Ｔ１区間で電源が安定した電源電圧ＶＣＣレベルに到達すればリセット信号ＲＥＳＥＴがローレベルになり、パワーアップ検出信号ＰＵＰがハイレベルになる。
【００８６】
以後、パワーアップ検出信号ＰＵＰに応答しセルプレートＣＰＬがハイレベルに遷移する。この時、強誘電体メモリセルアレイ１００の強誘電体メモリセルを構成する強誘電体キャパシタの間のキャパシタンスロードによりセルの両端ノードに電圧差を発生させる。
【００８７】
セル両端ノードに十分に電圧差が発生するＴ２区間に進入すればプルダウンイネーブル信号ＥＮＮがハイレベルとなり、プルアップイネーブル信号ＥＮＰでローレベルになりセル両端のデータを増幅することになる。
【００８８】
以後、Ｔ３区間に進入してセル両端のデータ増幅が完了すれば、パワーアップ検出信号ＰＵＰ及びセルプレート信号ＣＰＬを再度ローレベルに遷移させる。従って、破壊された強誘電体キャパシタのハイデータを再度復旧することになる。このとき、ライトイネーブル信号ＥＮＷはロー状態を維持しながら外部データが再度ライトされることを防止する。
【００８９】
図１３は、ライト動作モード時図１の非揮発性強誘電体メモリ装置の動作タイミング図である。
【００９０】
先ず、一対のライトビットラインＷＢＬ、ＷＢＬＢに新たなデータが入力されるとライトイネーブル命令信号ＷＥがローレベルになる。そして、ライトイネーブル命令信号ＷＥに応答しレジスターに新たなデータをライトするためのライトイネーブル信号ＥＮＷ及びセルプレート信号ＣＰＬがハイレベルに遷移する。従って、一対のビットラインＢＬ、ＢＬＢを介し入力されたデータがメモリセルに格納される。このとき、プルダウンイネーブル信号ＥＮＮはハイ状態を維持し、プルアップイネーブル信号ＥＮＰはロー状態を維持する。
【００９１】
図１４は、リード動作モード時図１の非揮発性強誘電体メモリ装置の動作タイミング図である。
【００９２】
先ず、リードイネーブル命令信号ＲＥがローレベルになれば、リードイネーブル信号ＥＮＲがハイレベルに遷移する。これに従い、一対のリードビットラインＲＢＬ、ＲＢＬＢにセンスアンプ７０のラッチ部７３に格納されたデータが出力される。
【００９３】
このとき、セルプレート信号ＣＰＬ及びプルダウンイネーブル信号ＥＮＮはロー状態を維持し、プルアップイネーブル信号ＥＮＰはハイ状態を維持する。
【００９４】
従って、本発明はリード動作モード時のメモリセルの強誘電体キャパシタとは関係なくセンスアンプ７０のラッチ部７３に格納されたセルデータを直接アクセスし早いアクセスが可能になるようにする。
【図面の簡単な説明】
【００９５】
【図１】本発明に係る非揮発性強誘電体メモリ装置を示すブロック図である。
【図２】図１の強誘電体メモリセルアレイの一実施例を示したブロック図である。
【図３】図２の単一ポートメモリセルを示した詳細な回路図である。
【図４】図１の強誘電体メモリセルアレイの他の実施例を示したブロック図である。
【図５】図４の単一ポートメモリセルを示した詳細な回路図である。
【図６】図１の強誘電体メモリセルアレイのさらに他の実施例を示したブロック図である。
【図７】図６の２ポートメモリセルを示した詳細な回路図である。
【図８】図１の強誘電体メモリセルアレイのさらに他の実施例を示したブロック図である。
【図９】図８の２ポートメモリセルを示した詳細な回路図である。
【図１０】本発明の２ポートメモリセルアレイに用いられるセンスアンプを示した詳細な回路図である。
【図１１】図１０のセンスアンプの動作を示したタイミング図である。
【図１２】パワーアップモード時図１の非揮発性強誘電体メモリ装置の動作タイミング図である。
【図１３】ライト動作モード時図１の非揮発性強誘電体メモリ装置の動作タイミング図である。
【図１４】リード動作モード時図１の非揮発性強誘電体メモリ装置の動作タイミング図である。
【符号の説明】
【００９６】
１００   強誘電体メモリセルアレイ
２００   メモリ制御部
３００   パワーアップリセット回路部
１０、３０   単一ポートメモリセル
１１、３１、４１、６１   ＰＭＯＳラッチ部
１２、３２、４２、６２   ライト制御部
１３、３３、４３、６３   強誘電体キャパシタ
１４、３４、４４、６４   ＮＭＯＳラッチ部
１５、２１、４６、５１   プルアップスイッチ
１６、２２、４７、５２   プルダウンスイッチ
２０、７０   センスアンプ
４０、６０   ２ポートメモリセル
５０   ライト駆動部
７１   プルアップ駆動部
７２   プルアップ制御部
７３   ラッチ部
【図１】
2004288351.tif 000003
【図２】
2004288351.tif 000004
【図３】
2004288351.tif 000005
【図４】
2004288351.tif 000006
【図５】
2004288351.tif 000007
【図６】
2004288351.tif 000008
【図７】
2004288351.tif 000009
【図８】
2004288351.tif 000010
【図９】
2004288351.tif 000011
【図１０】
2004288351.tif 000012
【図１１】
2004288351.tif 000013
【図１２】
2004288351.tif 000014
【図１３】
2004288351.tif 000015
【図１４】
2004288351.tif 000016